(57)【要約】【課題】アンテナ負荷が変動したときに、高速かつ高精度に電力増幅器の出力電力及び電流の変動を防止する電力増幅回路を提供する。【解決手段】電力増幅器１１は、高周波信号を増幅し、出力信号を得る。レギュレータ１２は、入力電圧を所定の利得で増幅し、電力増幅器１１に出力電圧を供給する。電流モニタ１３は、レギュレータ１２への入力電流をモニタし、モニタ電流を得る。第１の乗算器１４は、モニタ電流の情報と、レギュレータ１２の出力電圧の情報とを乗算し、モニタ電力の情報を得る。メモリ１６は、所定の基準電流の情報を予め記憶する。第２の乗算器１５は、入力電圧の情報と基準電流の情報とを乗算し、基準電力の情報を得る。レギュレータ１２は、モニタ電力の情報と、基準電力の情報とに基づいて、所定の利得を制御する利得制御部１２１を構成に備える。【選択図】図１
2011130352.tif 000002
【特許請求の範囲】
【請求項１】
高周波信号を増幅し、出力信号を得る電力増幅回路であって、
前記高周波信号を増幅し、前記出力信号を得る電力増幅器と、
入力電圧を所定の利得で増幅し、前記電力増幅器に出力電圧を供給するレギュレータと、
前記レギュレータ又は前記電力増幅器への入力電流をモニタし、モニタ電流の情報を得る電流モニタと、
前記モニタ電流の情報と、前記レギュレータの出力電圧の情報とを乗算し、モニタ電力の情報を得る第１の乗算手段と、
所定の基準電流の情報を予め記憶したメモリと、
前記入力電圧の情報と前記基準電流の情報とを乗算し、第１の基準電力の情報を得る第２の乗算手段とを備え、
前記レギュレータは、前記モニタ電力の情報と、前記第１の基準電力の情報とに基づいて、前記所定の利得を制御する利得制御部を構成に備える、電力増幅回路。
【請求項２】
前記利得制御部は、前記第１の基準電力の情報が、前記モニタ電力の情報と等しくなるように、前記所定の利得を制御する、請求項１に記載の電力増幅回路。
【請求項３】
前記利得制御部は、前記第１の基準電力の情報と前記レギュレータの基準利得との積を第２の基準電力の情報とし、前記第２の基準電力の情報が、前記モニタ電力の情報と等しくなるように、前記所定の利得を制御する、請求項１に記載の電力増幅回路。
【請求項４】
前記レギュレータは、
前記電力増幅器に出力電圧を供給するトランジスタと、
第１の抵抗値を有する抵抗回路と、
第２の抵抗値を有する可変抵抗回路と、
前記抵抗回路及び前記可変抵抗回路を介して、前記トランジスタの出力電圧がフィードバックされ、前記レギュレータへの入力電圧の情報と、前記トランジスタの出力電力の情報とを比較し、前記トランジスタへの入力電圧を調整する誤差増幅器とを備え、
前記可変抵抗回路は、前記第１の基準電力の情報が、前記モニタ電力の情報と等しくなるように、前記第２の抵抗値を制御する、請求項１に記載の電力増幅器。
【請求項５】
前記レギュレータは、
前記電力増幅器に出力電圧を供給するトランジスタと、
第１の抵抗値を有する抵抗回路と、
第２の抵抗値を有する可変抵抗回路と、
前記抵抗回路及び前記可変抵抗回路を介して、前記トランジスタの出力電圧がフィードバックされ、前記レギュレータへの入力電圧の情報と、前記トランジスタの出力電力の情報とを比較し、前記トランジスタへの入力電圧を調整する誤差増幅器とを備え、
前記可変抵抗回路は、前記第１の基準電力の情報と前記レギュレータの基準利得との積を第２の基準電力の情報とし、前記第２の基準電力の情報が前記モニタ電力の情報と等しくなるように、前記第２の抵抗値を制御する、請求項１に記載の電力増幅回路。
【請求項６】
前記メモリは、前記電力増幅器の出力電力に対応した複数の基準電流の情報を予め記憶しており、
前記第２の乗算手段は、前記電力増幅器の出力電力に対応した基準電流の情報を前記メモリから読み出し、前記入力電圧の情報と前記基準電流の情報とを乗算し、前記第１の基準電力の情報を得る、請求項１に記載の電力増幅回路。
【請求項７】
前記基準電流の情報は、負荷変動がないときの前記入力電流の情報の値、もしくは前記入力電流の情報の値以上に設定され、
前記利得制御部は、前記基準電流の情報と前記入力電流の情報とを比較し、前記入力電流の情報が前記基準電流の情報より小さい場合に、前記所定の利得を、前記レギュレータの基準利得に設定する、請求項１に記載の電力増幅回路。
【請求項８】
前記基準電流の情報は、負荷変動がないときの前記入力電流の情報の値、もしくは前記入力電流の情報の値以上に設定され、
前記利得制御部は、前記基準電流の情報と前記入力電流の情報とを比較し、前記入力電流の情報が前記基準電流の情報以上である場合に、前記基第１の基準電力の情報と、前記レギュレータの基準利得との積が、前記モニタ電力の情報と等しくなるように、前記所定の利得を制御する、請求項１に記載の電力増幅回路。
【請求項９】
前記利得制御部は、所定の閾値電流の情報と前記入力電流の情報とを比較し、前記入力電流の情報が前記所定の閾値電流の情報以上である場合に、前記第１の基準電力の情報と前記レギュレータの基準利得との積が、前記モニタ電力の情報と等しくなるように、前記所定の利得を制御する、請求項１に記載の電力増幅回路。
【請求項１０】
前記入力電圧を所定のカットオフ周波数で帯域制限して、前記レギュレータに出力する第１のローパスフィルタと、
前記レギュレータの出力電圧を所定のカットオフ周波数で帯域制限して、前記第１の乗算手段に出力する第２のローパスフィルタと、
前記モニタ電流を所定のカットオフ周波数で帯域制限して、前記第１の乗算手段に出力する第３のローパスフィルタとをさらに備える、請求項１に記載の電力増幅回路。
【請求項１１】
前記入力電圧と前記出力電圧との間の遅延時間を調整するように、前記入力電圧を所定時間遅延させる遅延回路をさらに備える、請求項１に記載の電力増幅回路。
【請求項１２】
通信機器であって、
入力信号を増幅して送信信号を得る送信回路と、
前記送信信号を出力するアンテナとを備え、
前記送信回路は、請求項１〜１１のいずれかに記載の電力増幅回路が用いられる、通信機器。
【請求項１３】
前記アンテナから受信した受信信号を処理する受信回路と、
アンテナ共用器とをさらに備える、請求項１２に記載の通信機器。
【請求項１４】
前記アンテナから受信した受信信号を処理する受信回路と、
アンテナスイッチとをさらに備える、請求項１２に記載の通信機器。
【発明の詳細な説明】
【技術分野】
【０００１】
本発明は、携帯電話や無線ＬＡＮ等の通信機器に用いられる電力増幅回路、及び通信機器に関し、より特定的には、アンテナ負荷が変動したときに、電力増幅器の出力電力及び電流の変動を抑制する電力増幅回路、及びそれを用いた通信機器に関する。
【背景技術】
【０００２】
携帯電話や無線ＬＡＮ等の通信機器は、アンテナ負荷が変動したときに、電力増幅器の出力電力及び電流の変動を防止する電力増幅回路が求められる。
【０００３】
従来の電力増幅器（Power Amplifier：ＰＡ）では、何らかの原因でアンテナ負荷が変動した時に、電力増幅器の出力電力と電流とが変動していた。図１０は、従来の電力増幅器において、アンテナ負荷が変動した時の出力電力Ｐｏｕｔと電流Ｉｃｃの一例を示す図である。図１０において、横軸は各ＶＳＷＲ（Voltage Standing Wave Ratio）での位相を示す。図１０に示すように、ＶＳＷＲが３：１となったときには、出力電力Ｐｏｕｔ及び電流Ｉｃｃともに、位相に依存して大きく変動していた。
【０００４】
また、アンテナ負荷が変動したときに、電力増幅器の出力電力Ｐｏｕｔ及び電流Ｉｃｃの変動を防止する従来の電力増幅回路が開示されている（例えば、特許文献１参照）。図１１は、特許文献１に開示された従来の電力増幅回路５０の構成を示すブロック図である。図１１において、従来の電力増幅回路５０は、電力増幅器５１と、電圧制御回路５２とから構成される。
【０００５】
電力増幅器５１は、第１〜３の増幅段５１１〜５１３と、バイアス回路５１４とを備える。電力増幅器５１は、第１〜３の増幅段５１１〜５１３を用いて高周波信号ＲＦｉｎを増幅し、出力信号ＲＦｏｕｔを得る。バイアス回路５１４は、第１〜３の増幅段５１１〜５１３にバイアス電圧ＶAPCを供給する。
【０００６】
電圧制御回路５２は、電力増幅器５１に出力電圧Ｖｃｃを供給する。電圧制御回路５２は、レギュレータ５２１、電流検出回路５２２、増幅器５２３、遅延回路５２４、係数算出部５２５、平方根算出器５２６、及び乗算器５２７を備える。レギュレータ５２１には、乗算器５２７を介して、入力電圧ＶRAMPが入力される。レギュレータ５２１は、入力電圧ＶRAMPを増幅し、電流検出回路５２２を介して、第２〜３の増幅段５１２〜５１３に出力電圧Ｖｃｃを供給する。
【０００７】
電流検出回路５２２は、検出電流ＩPAを所定の利得αで増幅する。検出電流αＩPAは、係数算出部５２５に入力される。増幅器５２３は、基準電流ＩREFを所定の利得βで増幅する。基準電流βＩREFは、遅延回路５２４で所定の遅延時間を与えられた後、係数算出部５２５に入力される。遅延回路５２４は、レギュレータ５２１での遅延を補償するための構成である。係数算出部５２５は、基準電流βＩREFを検出電流αＩPAで割算することで、係数Ｆを算出する。すなわち、係数Ｆは、（式１）を用いて表すことができる。
Ｆ＝βＩREF／αＩPA      ・・・（式１）
【０００８】
電力増幅器５１の出力電力Ｐｏｕｔは、負荷抵抗をＲLとすると、（式２）を用いて表すことができる。（式２）に示すように、電力増幅器５１の出力電力Ｐｏｕｔは、Ｖｃｃ2に応じて制御される。電力制御回路５２は、負荷抵抗ＲLが変化しても、出力電力Ｐｏｕｔを一定に保つように、係数Ｆに応じて、Ｖｃｃ2を調整する。すなわち、Ｖｃｃは、√Ｆに応じて調整される。
Ｐｏｕｔ＝Ｖｃｃ2／２・ＲL      ・・・（式２）
【０００９】
このため、平方根算出器５２６は、係数Ｆの平方根である係数√Ｆを算出する。乗算器５２７は、入力電圧ＶRMPに係数√Ｆを乗算し、レギュレータ５２１に出力する。
【００１０】
このような構成によって、従来の電力増幅回路５０は、アンテナ負荷が変動したときでも、電力増幅器５１の出力電力Ｐｏｕｔ及び電流ＩPAの変動を防止していた。
【先行技術文献】
【特許文献】
【００１１】
【特許文献１】米国特許第７１０９８９７号明細書
【発明の概要】
【発明が解決しようとする課題】
【００１２】
しかしながら、アンテナ負荷は瞬時的に変動するので素早く制御する必要があるが、従来の電力増幅回路５０は、平方根算出器５２６で係数Ｆの平方根を算出することで、応答速度が遅れる原因となる可能性があった。また、平方根算出器５２６を備えることにより、回路規模が増大するという課題があった。
【００１３】
また、従来の電力増幅回路５０は、基準電流ＩREFと、検出電流ＩPA（電力増幅器５１への入力電流）とを用いて、出力電圧Ｖｃｃを制御しているので、個々に特性がばらつく電力増幅器５１に応じて、個々に適切な基準電流ＩREFを算出する必要があった。しかしながら、従来の電力増幅回路５０では、検出電流ＩPAと相関関係がある入力電圧ＶRAMPをパラメータとして、一意に基準電流ＩREFを算出していた。このため、この相関関係がばらつく電力増幅器５１においては、常に適切な基準電流ＩREFが適用されず、その結果、出力電圧Ｖｃｃの制御に誤差が発生するという課題があった。
【００１４】
それ故に、本発明の目的は、上記従来の課題を解消し、アンテナ負荷が変動したときに、高速かつ高精度に電力増幅器の出力電力及び電流の変動を防止する電力増幅回路、及びそれを用いた通信機器を提供することである。
【課題を解決するための手段】
【００１５】
本発明の目的は、高周波信号を増幅し、出力信号を得る電力増幅回路に向けられている。そして、上記目的を達成させるために、本発明の電力増幅回路は、高周波信号を増幅し、出力信号を得る電力増幅器と、入力電圧を所定の利得で増幅し、電力増幅器に出力電圧を供給するレギュレータと、レギュレータ又は電力増幅器への入力電流をモニタし、モニタ電流の情報を得る電流モニタと、モニタ電流の情報と、レギュレータの出力電圧の情報とを乗算し、モニタ電力の情報を得る第１の乗算手段と、所定の基準電流の情報を予め記憶したメモリと、入力電圧の情報と基準電流の情報とを乗算し、第１の基準電力の情報を得る第２の乗算手段とを備える。レギュレータは、モニタ電力の情報と、第１の基準電力の情報とに基づいて、所定の利得を制御する利得制御部を構成に備える。
【００１６】
より具体的には、利得制御部は、第１の基準電力の情報が、モニタ電力の情報と等しくなるように、所定の利得を制御する。あるいは、利得制御部は、第１の基準電力の情報とレギュレータの基準利得との積を第２の基準電力の情報とし、第２の基準電力の情報がモニタ電力の情報と等しくなるように、所定の利得を制御してもよい。
【００１７】
好ましくは、レギュレータは、電力増幅器に出力電圧を供給するトランジスタと、第１の抵抗値を有する抵抗回路と、第２の抵抗値を有する抵抗可変回路と、抵抗回路及び可変抵抗回路を介して、トランジスタの出力電圧がフィードバックされ、レギュレータへの入力電圧の情報と、トランジスタの出力電力の情報とを比較し、トランジスタへの入力電圧を調整する誤差増幅器とを備える。抵抗可変回路は、第１の基準電力の情報が、モニタ電力の情報とが等しくなるように、第２の抵抗値を制御する、あるいは、抵抗可変回路は、第１の基準電力の情報とレギュレータの基準利得との積を第２の基準電力の情報とし、第２の基準電力の情報がモニタ電力の情報と等しくなるように、第２の利得を制御してもよい。
【００１８】
メモリは、電力増幅器の出力電力に対応した複数の基準電流の情報を予め記憶してもよい。第２の乗算手段は、電力増幅器の出力電力に対応した基準電流の情報をメモリから読み出し、入力電圧の情報と基準電流の情報とを乗算し、第１の基準電力の情報を得る。
【００１９】
好ましくは、基準電流の情報は、負荷変動がないときの入力電流の情報の値、もしくは入力電流の情報の値以上に設定される。この場合、利得制御部は、基準電流の情報と入力電流の情報とを比較し、入力電流の情報が基準電流の情報より小さい場合に、所定の利得を、レギュレータの基準利得に設定する。また、切替制御部は、基準電流の情報と入力電流の情報とを比較し、入力電流の情報が基準電流の情報以上である場合に、第１の基準電力の情報とレギュレータの基準利得との積が、モニタ電力の情報と等しくなるように、所定の利得を制御する。
【００２０】
また、利得制御部は、所定の閾値電流の情報と入力電流の情報とを比較し、入力電流の情報が所定の閾値電流の情報以上である場合に、第１の基準電力の情報とレギュレータの基準利得との積が、モニタ電力の情報と等しくなるように、所定の利得を制御するものであってもよい。
【００２１】
電力増幅回路は、入力電圧を所定のカットオフ周波数で帯域制限して、レギュレータに出力する第１のローパスフィルタと、レギュレータの出力電圧を所定のカットオフ周波数で帯域制限して、第１の乗算手段に出力する第２のローパスフィルタと、モニタ電流を所定のカットオフ周波数で帯域制限して、第１の乗算手段に出力する第３のローパスフィルタとをさらに備えてもよい。
【００２２】
また、電力増幅回路は、入力電圧と出力電圧との間の遅延時間を調整するように、入力電圧を所定時間遅延させる遅延回路をさらに備えてもよい。
【００２３】
また、本発明は、通信機器にも向けられている。通信機器は、入力信号を増幅して送信信号を得る送信回路と、送信信号を出力するアンテナとを備える。送信回路には、上述したいずれかに記載の電力増幅回路が用いられる。また、通信機器は、アンテナから受信した受信信号を処理する受信回路と、アンテナ共用器とをさらに備える構成であってもよい。また、通信機器は、アンテナから受信した受信信号を処理する受信回路と、アンテナスイッチとをさらに備える構成であってもよい。
【発明の効果】
【００２４】
本発明の電力増幅回路によれば、利得制御部が、モニタ電力Ｐｔ（Ｉｃｃ×Ｖｏ）の情報と、基準電力Ｐｒｅｆ（Ｉｒｅｆ×Ｖｉｎ）の情報とに基づいて、レギュレータの利得Ｇｔを制御する。すなわち、電力増幅回路は、レギュレータの出力電圧Ｖｏをフィードバックし、レギュレータの利得Ｇｔを制御することで、高速かつ高精度な出力電圧Ｖｏの制御が可能となる。また、平方根検出器を備える必要がないので、応答速度が遅れることを防ぎ、回路規模の増大を防ぐことができる。
【００２５】
また、メモリに最適な基準電流の情報Ｉｒｅｆが記憶されることにより、電力増幅器の個体ばらつきや、出力電力Ｐｏｕｔに応じた厳密な出力電圧Ｖｏの制御が可能となる。これによって、電力増幅回路は、アンテナ負荷が変動したときに、高速かつ高精度に電力増幅器の出力電力Ｐｏｕｔ及び電流の変動を防止することができる。
【００２６】
また、電力増幅回路は、入力電流Ｉｃｃの情報が閾値電流Ｉｒｅｆの情報より小さい場合には、レギュレータの利得Ｇｔが基準利得Ｇｏなるように、抵抗値Ｒ２を設定する。一方、電力増幅回路は、入力電流Ｉｃｃの情報が閾値電流Ｉｒｅｆの情報以上である場合には、乗算器の出力電力Ｐｒｅｆ・Ｇｏの情報と、モニタ電力Ｐｒｅｆの情報とが一致するように、抵抗値Ｒ２を設定し、レギュレータの利得Ｇｔを制御する。このため、入力電流Ｉｃｃの情報が閾値電流Ｉｒｅｆの情報より小さい場合には、レギュレータの利得Ｇｔの制御が発生しないので、出力電圧Ｖｏ、及び出力電力Ｐｏｕｔのランピング波形への不要な影響を排除することができる。これによって、電力増幅回路は、間欠動作する通信方式に適用された場合にも、高速かつ高精度に電力増幅器の出力電力Ｐｏｕｔ及び電流の変動を防止することができる。
【００２７】
また、電力増幅回路は、複数のＬＰＦが各入力信号のエンベロープ変動を平均化するために、エンベロープが変動する変調方式に適用された場合でも、高速かつ高精度に電力増幅器の出力電力Ｐｏｕｔ及び電流の変動を防止することができる。
【図面の簡単な説明】
【００２８】
【図１】本発明の第１の実施形態に係る電力増幅回路１の構成の一例を示すブロック図
【図２】レギュレータ１２の構成の一例を示すブロック図
【図３】本発明の第２の実施形態に係る電力増幅回路２の構成の一例を示すブロック図
【図４】入力電流Ｉｃｃ、出力電圧Ｖｏ、及び出力電力Ｐｏｕｔの波形の一例を示す図
【図５】本発明の第２の実施形態に係る電力増幅回路２の効果を説明する図
【図６】本発明の第３の実施形態に係る電力増幅回路３の構成の一例を示すブロック図
【図７】本発明の第３の実施形態に係る電力増幅回路３ａの構成の一例を示すブロック図
【図８Ａ】本発明の第１の実施形態に係る電力増幅回路１ｂの構成の一例を示すブロック図
【図８Ｂ】本発明の第２の実施形態に係る電力増幅回路２ｂの構成の一例を示すブロック図
【図８Ｃ】本発明の第３の実施形態に係る電力増幅回路３ｂの構成の一例を示すブロック図
【図８Ｄ】本発明の第１の実施形態に係る電力増幅回路１ｃの構成の一例を示すブロック図
【図８Ｅ】本発明の第２の実施形態に係る電力増幅回路２ｃの構成の一例を示すブロック図
【図８Ｆ】本発明の第３の実施形態に係る電力増幅回路３ｃの構成の一例を示すブロック図
【図８Ｇ】本発明の第３の実施形態に係る電力増幅回路１ｄの構成の一例を示すブロック図
【図８Ｈ】本発明の第３の実施形態に係る電力増幅回路２ｄの構成の一例を示すブロック図
【図８Ｉ】本発明の第３の実施形態に係る電力増幅回路３ｄの構成の一例を示すブロック図
【図９Ａ】本発明の第４の実施形態に係る通信機器３０ａの構成の一例を示すブロック図
【図９Ｂ】本発明の第４の実施形態に係る通信機器３０ｂの構成の一例を示すブロック図
【図９Ｃ】本発明の第４の実施形態に係る通信機器３０ｃの構成の一例を示すブロック図
【図１０】従来の電力増幅器において、アンテナ負荷が変動した時の出力電力Ｐｏｕｔと電流Ｉｃｃの一例を示す図
【図１１】従来の電力増幅回路５０の構成を示すブロック図
【発明を実施するための形態】
【００２９】
（第１の実施形態）
図１は、本発明の第１の実施形態に係る電力増幅回路１の構成の一例を示すブロック図である。図１において、電力増幅回路１は、電力増幅器（Power Amplifier：ＰＡ）１１、レギュレータ（Regulator）１２、電流モニタ１３、乗算器１４，１５、及びメモリ１６を備える。また、レギュレータ１２は、利得制御部１２１を備える。なお、レギュレータ１２、電流モニタ１３、乗算器１４，１５、及びメモリ１６を合わせた構成は、出力電圧Ｖｏを制御し、電力増幅器１１に供給するための構成であるので、電圧制御回路と呼ぶこともできる。
【００３０】
電力増幅器１１には、入力信号である高周波信号ＲＦｉｎが入力される。電力増幅器１１は、高周波信号ＲＦｉｎを電圧制御回路からの出力電圧Ｖｏに応じて増幅し、出力信号ＲＦｏｕｔを得る。
【００３１】
レギュレータ１２は、電力増幅器１１に出力電圧Ｖｏを供給する。具体的には、レギュレータ１２は、利得制御部１２１によって制御された利得Ｇｔで、入力電圧Ｖｉｎを増幅し、出力電圧Ｖｏを電力増幅器１１に供給する。利得制御部１２１は、レギュレータ１２の利得Ｇｔを制御する。ここで、レギュレータ１２の利得Ｇｔは、（式３）を用いて表すことができる。
Ｇｔ＝Ｖｏ／Ｖｉｎ  ・・・（式３）
【００３２】
メモリ１６は、所定の基準電流Ｉｒｅｆの情報を予め記憶する。なお、メモリ１６は、電力増幅器１１の固体ばらつき等に対応した基準電流Ｉｒｅｆの情報を予め記憶していてもよい。これによって、電力増幅器１１の固体ばらつき等に対応した厳密な出力電圧Ｖｏの制御が可能となる。また、メモリ１６は、複数の基準電流Ｉｒｅｆの情報を予め記憶していてもよい。例えば、メモリ１６は、電力増幅部１１の出力電力Ｐｏｕｔや、出力周波数等に対応した、複数の基準電流Ｉｒｅｆの情報を記憶していてもよい。このように、メモリ１６に複数の基準電流Ｉｒｅｆの情報を記憶することによって、電力増幅器１１の出力電力Ｐｏｕｔや、出力周波数等に応じた厳密な出力電圧Ｖｏの制御が可能となる。
【００３３】
乗算器１５は、入力電圧Ｖｉｎの情報に基準電流Ｉｒｅｆの情報を乗算し、基準電力Ｐｒｅｆの情報を出力する。基準電力Ｐｒｅｆの情報は、（式４）を用いて表すことができる。
Ｐｒｅｆ＝Ｉｒｅｆ×Ｖｉｎ  ・・・（式４）
【００３４】
電流モニタ１３は、レギュレータ１２への入力電流Ｉｃｃをモニタする。なお、電流モニタ１３は、レギュレータ１２と電力増幅器１１との間に接続され、レギュレータ１２の出力電流をモニタするものであってもよい。乗算器１４は、電流モニタ１３がモニタした入力電流Ｉｃｃの情報と、レギュレータ１２の出力電圧Ｖｏの情報とを乗算し、モニタ電力Ｐｔの情報を出力する。モニタ電力Ｐｔの情報は、（式５）を用いて表すことができる。
Ｐｔ＝Ｉｃｃ×Ｖｏ  ・・・（式５）
【００３５】
レギュレータ１２において、利得制御部１２１には、乗算器１５を介して基準電力Ｐｒｅｆと、乗算器１４を介してモニタ電力Ｐｔとが入力される。利得制御部１２１は、基準電力Ｐｒｅｆの情報と、モニタ電力Ｐｔの情報とに基づいて、レギュレータ１２の利得Ｇｔを制御する。
【００３６】
具体的には、利得制御部１２１は、基準電力Ｐｒｅｆの情報と、レギュレータ１２の基準利得Ｇｏとの積が、モニタ電力Ｐｔの情報と一致するように、利得Ｇｔを制御する。基準利得Ｇｏは、入力電流Ｉｃｃの情報と、基準電流Ｉｒｅｆの情報とが等しいときの、レギュレータ１２の利得Ｇｔで定義される。つまり、モニタ電力Ｐｔの情報、基準電力Ｐｒｅｆの情報、及び基準利得Ｇｏの間には、（式６）の関係が成立する。
Ｐｔ＝Ｐｒｅｆ×Ｇｏ  ・・・（式６）
なお、Ｉｃｃ＝Ｉｒｅｆの時に、Ｇｏ＝Ｇｔである。
【００３７】
このように制御する理由は以下の通りである。電力増幅器１１が飽和動作している状態では、負荷変動時でも電力増幅器１１の動作効率の変動は小さい。また、電力増幅器１１の動作効率は、出力電力Ｐｏｕｔの情報／入力電力Ｉｃｃ×Ｖｏの情報（すなわち、（式５）に示すモニタ電力Ｐｔの情報）で表される。このため、負荷変動時でも、電力増幅器１１への入力電力の情報を一定値Ｐｔに保つことで、出力電力Ｐｏｕｔの変動を抑制することが可能である。
【００３８】
図２は、レギュレータ１２の構成の一例を示すブロック図である。図２において、レギュレータ１２は、乗算器１２２と、抵抗１２３と、抵抗可変回路１２４と、誤差増幅器（error amplifier）１２５と、トランジスタ１２６とを備える。レギュレータ１２は、誤差増幅器１２５、トランジスタ１２６、及び抵抗１２３を用いて、入力電圧Ｖｉｎを増幅し、出力電圧Ｖｏを得る。なお、乗算器１２２と、抵抗可変回路１２４とが、利得制御部１２１を構成する。
【００３９】
乗算器１２２は、基準電力Ｐｒｅｆの情報と基準利得Ｇｏとを乗算する。抵抗１２３には、抵抗値Ｒ１が設定される。抵抗可変回路１２４には、抵抗値Ｒ２が設定される。したがって、レギュレータ１２の利得Ｇｔは、（式７）で表される。
Ｇｔ＝Ｖｏ／Ｖｉｎ
＝（Ｒ１＋Ｒ２）／Ｒ２  ・・・（式７）
【００４０】
抵抗可変回路１２４は、乗算器１２２の出力電力Ｐｒｅｆ・Ｇｏの情報と、モニタ電力Ｐｔの情報とが一致するように、抵抗値Ｒ２を制御する。すなわち、レギュレータ１２は、抵抗可変回路１２４が抵抗値Ｒ２を最適な値に制御することで、利得Ｇｔを制御することができる。
【００４１】
このように、電圧制御回路は、レギュレータ１２の出力電圧Ｖｏを、レギュレータ１２にフィードバックし、レギュレータ１２の利得Ｇｔを直接制御することで、高速かつ高精度な出力電圧Ｖｏの制御が可能となる。
【００４２】
なお、レギュレータ１２は、抵抗可変回路１２４に、Ｇｍ可変回路を用いた構成であってもよい。
【００４３】
また、乗算器１２２は、必ずしもレギュレータ１２内に配置される必要はなく、レギュレータ１２の前方に配置されるものであってもよい。この場合、レギュレータ１２において、利得制御部１２１には、乗算器１２２を介して、出力電力Ｐｒｅｆ・Ｇｏの情報と、乗算器１４を介してモニタ電力Ｐｔの情報とが入力される。利得制御部１２１は、出力電力Ｐｒｅｆ・Ｇｏの情報と、モニタ電力Ｐｔの情報とが等しくなるように、利得Ｇｔを制御する。
【００４４】
また、送信回路１は、必ずしも乗算器１２２を備える必要はない。この場合、レギュレータ１２において、利得制御部１２１には、乗算器１５を介して基準電力Ｐｒｅｆの情報と、乗算器１４を介してモニタ電力Ｐｔの情報とが入力される。利得制御部１２１は、基準電力Ｐｒｅｆの情報が、モニタ電力Ｐｔの情報と等しくなるように、利得Ｇｔを制御する。あるいは、送信回路１は、乗算器１２２を備える代わりに、メモリ１６が、基準電流Ｉｒｅｆとレギュレータ１２の基準利得Ｇｏとの乗算値に相当する基準電流Ｉｒｅｆ’を出力するものであってもよい。この場合、レギュレータ１２において、利得制御部１２１には、乗算器１５を介して基準電力Ｐｒｅｆ’の情報と、乗算器１４を介してモニタ電力Ｐｔの情報とが入力される。利得制御部１２１は、基準電力Ｐｒｅｆ’の情報が、モニタ電力Ｐｔの情報と等しくなるように、利得Ｇｔを制御する。
【００４５】
また、送信回路１は、乗算器１４の代わりに、何らかの手段により、電流モニタ１３がモニタした入力電流Ｉｃｃの情報と、レギュレータ１２の出力電圧Ｖｏの情報とが乗算された、モニタ電力Ｐｔの情報を得る乗算手段を用いた構成であってもよい。例えば、乗算手段は、入力電流Ｉｃｃの情報と、出力電圧Ｖｏの情報とに基づいて、メモリから最適なモニタ電力Ｐｔの情報を読み出してもよいし、所定の演算により、モニタ電力Ｐｔの情報を算出してもよい。
【００４６】
また、送信回路１は、乗算器１５の代わりに、何らかの手段により、入力電圧Ｖｉｎの情報と、基準電流Ｉｒｅｆの情報とが乗算された、基準電力Ｐｒｅｆの情報を得る乗算手段を用いた構成であってもよい。例えば、乗算手段は、入力電圧Ｖｉｎの情報と、基準電流Ｉｒｅｆの情報とに基づいて、メモリから最適な基準電力Ｐｒｅｆの情報を読み出してもよいし、所定の演算により、基準電力Ｐｒｅｆの情報を算出してもよい。
【００４７】
また、送信回路１は、乗算器１２２の代わりに、何らかの手段により、基準電力Ｐｒｅｆの情報と、基準利得Ｇｏとが乗算された、出力電力Ｐｒｅｆ・Ｇｏの情報を得る乗算手段を用いた構成であってもよい。例えば、乗算手段は、基準電力Ｐｒｅｆの情報と、基準利得Ｇｏとに基づいて、メモリから最適な出力電力Ｐｒｅｆ・Ｇｏの情報を読み出してもよいし、所定の演算により、出力電力Ｐｒｅｆ・Ｇｏの情報を算出してもよい。
【００４８】
以上のように、本発明の第１の実施形態に係る電力増幅回路１によれば、利得制御部１２１が、モニタ電力Ｐｔ（Ｉｃｃ×Ｖｏ）の情報と、基準電力Ｐｒｅｆ（Ｉｒｅｆ×Ｖｉｎ）の情報とに基づいて、レギュレータ１２の利得Ｇｔを制御する。すなわち、電力増幅回路１は、レギュレータ１２の出力電圧Ｖｏをフィードバックし、レギュレータ１２の利得Ｇｔを制御することで、高速かつ高精度な出力電圧Ｖｏの制御が可能となる。また、平方根検出器を備える必要がないので、応答速度が遅れることを防ぎ、回路規模の増大を防ぐことができる。
【００４９】
また、メモリ１６に最適な基準電流Ｉｒｅｆの情報が記憶されることにより、電力増幅器１１の個体ばらつきや、出力電力Ｐｏｕｔに応じた厳密な出力電圧Ｖｏの制御が可能となる。これによって、電力増幅回路１は、アンテナ負荷が変動したときに、高速かつ高精度に電力増幅器１１の出力電力Ｐｏｕｔ及び電流の変動を防止することができる。
【００５０】
（第２の実施形態）
第２の実施形態に係る電力増幅回路２は、特に、間欠動作する通信方式に適用されることを想定する。間欠動作する通信方式としては、例えば、ＧＳＭ（Global System for Mobile Communications）変調方式等がある。
【００５１】
図３は、本発明の第２の実施形態に係る電力増幅回路２の構成の一例を示すブロック図である。図３において、電力増幅回路２は、第１の実施形態に係る電力増幅回路１と比較して、利得制御部１２１ａの動作が異なる。利得制御部１２１ａの構成については、図２を援用して説明する。また、メモリ１６に記憶される基準電流Ｉｒｅｆの情報は、負荷変動なし（すなわち、ＶＳＷＲ１：１）のときの入力電流Ｉｃｃの情報か、もしくは入力電流Ｉｃｃの情報の値以上に設定される。
【００５２】
利得制御部１２１ａは、（式８）に示すように、基準電流Ｉｒｅｆの情報を閾値電流の情報として、閾値電流Ｉｒｅｆの情報と入力電流Ｉｃｃの情報とを比較し、当該比較結果に基づいて、レギュレータ１２の利得Ｇｔの制御方法を変更する。具体的には、利得制御部１２１ａは、入力電流Ｉｃｃの情報が閾値電流Ｉｒｅｆの情報より小さい（すなわち、負荷変動がない／小さい）場合には、レギュレータ１２の利得Ｇｔが基準利得Ｇｏとなるように、抵抗値Ｒ２を設定する。
Ｖｏ＝Ｇｏ×Ｖｉｎ                  ただし、Ｉｃｃ＜Ｉｒｅｆ
Ｐｔ＝Ｐｒｅｆ×Ｇｏ                ただし、Ｉｃｃ≧Ｉｒｅｆ
なお、Ｉｃｃ＝Ｉｒｅｆの時に、Ｇｏ＝Ｇｔである。
・・・（式８）
【００５３】
一方、利得制御部１２１ａは、入力電流Ｉｃｃの情報が閾値電流Ｉｒｅｆの情報以上である（すなわち、負荷変動が増大した）場合には、乗算器１２２の出力電力Ｐｒｅｆ・Ｇｏの情報と、モニタ電力Ｐｔの情報とが一致するように、抵抗値Ｒ２を設定し、レギュレータ１２の利得Ｇｔを制御する。すなわち、利得制御部１２１ａは、入力電流Ｉｃｃの情報が閾値電流Ｉｒｅｆの情報以上である場合には、第１の実施形態と同様の動作で、出力電圧Ｖｏを制御する。
【００５４】
なお、利得制御部１２１ａは、次のように動作してもよい。利得制御部１２１ａには、所定の閾値電流の情報が予め設定される。利得制御部１２１ａは、所定の閾値電流の情報と入力電流Ｉｃｃの情報とを比較し、入力電流Ｉｃｃの情報が所定の閾値電流の情報より小さい場合には、レギュレータ１２の利得Ｇｔが基準利得Ｇｏとなるように、抵抗値Ｒ２を設定する。一方、利得制御部１２１ａは、所定の閾値電流の情報と入力電流Ｉｃｃの情報とを比較し、入力電流Ｉｃｃの情報が所定の閾値電流の情報以上である場合には、乗算器１２２の出力電力Ｐｒｅｆ・Ｇｏの情報と、モニタ電力Ｐｔの情報とが一致するように、抵抗値Ｒ２を設定し、レギュレータ１２の利得Ｇｔを制御する。
【００５５】
図４は、本発明の第２の実施形態に係る電力増幅回路２における、入力電流Ｉｃｃ、出力電圧Ｖｏ、及び出力電力Ｐｏｕｔの波形の一例を示す図である。図４には、ＶＳＷＲが１：１のときの各波形と、ＶＳＷＲが３：１であり、出力電圧Ｖｏの制御を実行した場合（VSWR3 with Vo control）の各波形と、ＶＳＷＲが３：１であり、出力電圧Ｖｏの制御を実行しなかった場合（VSWR3 w/o Vo control）の各波形を示している。
【００５６】
図４を参照して、ＶＳＷＲが３：１であり、出力電圧Ｖｏの制御を実行した場合（VSWR3 with Vo control）、出力電圧Ｖｏの制御を実行しなかった場合（VSWR3 w/o Vo control）と比較して、アンテナ負荷変動に伴う、入力電流Ｉｃｃ及び出力電力Ｐｏｕｔの変動が抑制できている。また、３ＧＰＰ（Third Generation Partnership Project）仕様によれば、これらのランピング波形は、立ち上がり、立ち下がり形状がシビアに求めれるが、入力電流Ｉｃｃの情報が基準電流Ｉｒｅｆの情報より小さい場合には、レギュレータ１２の利得Ｇｔの制御が発生しないので、ランピング波形の立ち上がり、立ち下がり波形に、不要な影響を与えない。
【００５７】
図５は、電力増幅回路２をＧＭＳＫ（Gaussian filtered Minimum Shift Keying）変調に適用した例を示して、本発明の効果を説明する図である。図５を参照して、基準電流Ｉｒｅｆを１．７Ａに設定した場合に、例えば、ＶＳＷＲが１：１のとき、出力電圧Ｖｏが３．３Ｖ、入力電流Ｉｃｃが１．６５Ａ、出力電力Ｐｏｕｔが３４．５ｄＢｍとなる。一方、ＶＳＷＲが３：１のときに、出力電圧Ｖｏの制御を行わなければ、出力電圧Ｖｏが３．３Ｖ、入力電流Ｉｃｃが２．２Ａ、出力電力Ｐｏｕｔが３５．５ｄＢｍとなり、入力電流Ｉｃｃ及び出力電力Ｐｏｕｔ共に増加している。これに対して、ＶＳＷＲが３：１のときでも、出力電圧Ｖｏの制御を行えば、出力電圧Ｖｏが２．６Ｖ、入力電流Ｉｃｃが１．９５Ａ、出力電力Ｐｏｕｔが３４．５ｄＢｍとなり、入力電流Ｉｃｃ及び出力電力Ｐｏｕｔの変動を抑制できる。
【００５８】
特に、バッテリ性能や他の回路素子からの要請で、アンテナ負荷変動に伴って入力電流Ｉｃｃが大きく増大することを防止することが求められる場合がある。電力増幅回路２は、図５に示すように、ＶＳＷＲが３：１のときに、出力電圧Ｖｏの制御を行った場合、入力電流Ｉｃｃが１．９５Ａとなり、入力電流Ｉｃｃの増大を防止できている。また、ＳＡＲ（specific absorption rate）の観点等から、アンテナ負荷変動に伴って出力電力Ｐｏｕｔが大きく増大することを防止することが求められる場合がある。電力増幅回路２は、図５に示すように、ＶＳＷＲ３：１のときに、出力電圧Ｖｏの制御を行った場合、出力電力Ｐｏｕｔが３４．５ｄＢｍとなり、出力電力Ｐｏｕｔの増大を防止できている。
【００５９】
以上のように、本発明の第２の実施形態に係る電力増幅回路２によれば、入力電流Ｉｃｃの情報が閾値電流Ｉｒｅｆの情報より小さい場合には、レギュレータ１２の利得Ｇｔが基準利得Ｇｏとなるように、抵抗値Ｒ２を設定する。一方、電力増幅回路２は、入力電流Ｉｃｃの情報が閾値電流Ｉｒｅｆの情報以上である場合には、乗算器１２２の出力電力Ｐｒｅｆ・Ｇｏの情報と、モニタ電力Ｐｔの情報とが一致するように、抵抗値Ｒ２を設定し、レギュレータ１２の利得Ｇｔを制御する。このため、入力電流Ｉｃｃの情報が閾値電流Ｉｒｅｆの情報より小さい場合には、レギュレータ１２の利得Ｇｔの制御が発生しないので、出力電圧Ｖｏ、及び出力電力Ｐｏｕｔのランピング波形への不要な影響を排除することができる。これによって、電力増幅回路２は、間欠動作する通信方式に適用された場合にも、高速かつ高精度に電力増幅器１１の出力電力Ｐｏｕｔ及び電流の変動を防止することができる。
【００６０】
（第３の実施形態）
第３の実施形態に係る電力増幅回路３は、エンベロープが変動する変調方式に適用されることを想定する。エンベロープが変動する変調方式としては、例えば、ＥＤＧＥ（Enhanced Data GSM Environment）変調方式、ＵＭＴＳ（Universal mobile telecommunications system）変調方式等がある。
【００６１】
図６は、本発明の第３の実施形態に係る電力増幅回路３の構成の一例を示すブロック図である。図６において、電力増幅回路３は、第１の実施形態に係る電力増幅回路１と比較して、各入力信号のエンベロープ変動を平均化するためのローパスフィルタ（ＬＰＦ：Low-pass filter）１８，１９，２０をさらに備える。ＬＰＦ１８，１９，２０には、基本的に同一のカットオフ周波数ｆｃが設定される。また、カットオフ周波数ｆｃには、適用される変調方式に応じて最適な値が設定される。
【００６２】
ＬＰＦ１８は、入力電圧Ｖｉｎをカットオフ周波数ｆｃで帯域制限して、レギュレータ１２に出力する。ＬＰＦ１９は、出力電圧Ｖｏをカットオフ周波数ｆｃで帯域制限して、乗算器１４に出力する。ＬＰＦ２０は、電流モニタ１３のモニタ電流Ｉｃｃをカットオフ周波数ｆｃで帯域制限して、乗算器１４に出力する。
【００６３】
なお、第３の実施形態に係る電力増幅回路３は、例えば図７に示す電力増幅回路３ａのように、第２の実施形態に係る電力増幅回路２にも適用可能である。図７は、第３の実施形態に係る電力増幅回路３ａの構成の一例を示すブロック図である。図７において、電力増幅回路３ａは、第２の実施形態に係る電力増幅回路２と比較して、ＬＰＦ１８，１９，２０をさらに備える。ＬＰＦ１８，１９，２０の動作は、上述した通りである。
【００６４】
以上のように、本発明の第３の実施形態に係る電力増幅回路３によれば、ＬＰＦ１８，１９，２０が各入力信号のエンベロープ変動を平均化するために、エンベロープが変動する変調方式に適用された場合でも、高速かつ高精度に電力増幅器１１の出力電力及び電流の変動を防止することができる。
【００６５】
なお、第１〜第３の実施形態に係る電力増幅回路１〜３は、図８Ａ〜Ｃに示す電力増幅回路１ｂ〜３ｂのように、遅延回路２１をさらに備えても良い。遅延回路２１は、入力電圧Ｖｉｎを所定時間を遅延させる。具体的には、遅延回路２１は、レギュレータ１２の出力電圧Ｖｏのフィードバック経路や、ＬＰＦ１８，１９等で遅延が発生した場合に、入力電圧Ｖｉｎを所定時間遅延させることで、入力電圧Ｖｉｎと、フィードバックされた出力電圧Ｖｏとが、レギュレータ１２に到達するタイミングを調整する。なお、図８Ｃに示す電力増幅回路３ｂは、ＬＰＦ１９やＬＰＦ２０の遅延調整のため、遅延回路をＬＰＦ１９の出力側や、ＬＰＦ２０の出力側にさらに備えてもよい。
【００６６】
また、第１〜第３の実施形態に係る電力増幅回路１〜３は、図８Ｄ〜Ｆに示す電力増幅回路１ｃ〜３ｃのように、加算器２２をさらに備えても良い。加算器２２は、オフセット電圧Ｖｏｆｆｓｅｔの情報を基準電力Ｐｒｅｆに加算する。オフセット電圧Ｖｏｆｆｓｅｔの情報は、メモリ１６に予め最適な値が格納されていてもよいし、所定の演算により算出されてもよい。この場合、利得制御部１２１に入力される基準電力Ｐｒｅｆの情報は、（式９）を用いて表すことができる。利得制御部１２１は、（式９）で表される基準電力Ｐｒｅｆの情報が、モニタ電力Ｐｔの情報と等しくなるように、利得Ｇｔを制御する。
Ｐｒｅｆ＝Ｉｒｅｆ×Ｖｉｎ＋Ｖｏｆｆｓｅｔ      ・・・（式９）
【００６７】
また、電力増幅回路１ｃは、図８Ｇ〜Ｉに示す電力増幅回路１ｄ〜３ｄのように、レギュレータ１２内に乗算器１２２を配置する代わりに、入力電圧Ｖｉｎが分岐される分岐点Ａと加算器２２との間に、乗算器１２２を配置する構成であってもよい。乗算器１２２は、基準電力Ｐｒｅｆの情報に、基準利得Ｇｏを乗算する。加算器２２は、オフセット電圧Ｖｏｆｆｓｅｔの情報を、乗算器１２２の出力電力の情報に加算する。オフセット電圧Ｖｏｆｆｓｅｔの情報は、メモリ１６に予め最適な値が格納されていてもよいし、所定の演算により算出されてもよい。この場合、利得制御部１２１に入力される基準電力Ｐｒｅｆの情報は、（式１０）を用いて表すことができる。利得制御部１２１は、（式１０）で表される基準電力Ｐｒｅｆの情報が、モニタ電力Ｐｔの情報と等しくなるように、利得Ｇｔを制御する。
Ｐｒｅｆ＝Ｉｒｅｆ×Ｖｉｎ×Ｇｏ＋Ｖｏｆｆｓｅｔ      ・・・（式１０）
【００６８】
（第４の実施形態）
図９Ａは、本発明の第４の実施形態に係る通信機器３０ａの構成の一例を示すブロック図である。なお、図９Ａは、通信機器３０ａがＵＭＴＳ変調方式に適用された場合の例を示している。図９Ａを参照して、第４の実施形態に係る通信機器３０ａは、送信回路３１、受信回路３２、アンテナ共用器３３、及びアンテナ３４を備える。送信回路３１には、上述した第１〜３の実施形態に記載の電力増幅回路が用いられる。送信回路３１は、入力信号を増幅し送信信号を得る。
【００６９】
送信回路３１からの送信信号は、アンテナ共用器３３を介してアンテナ３４から空間に放出される。受信信号は、アンテナ３４で受信され、アンテナ共用器３３を介して受信回路３２で受信される。なお、通信機器３０ａは、送信回路３１とアンテナ３４とのみを備えた構成であってもよい。
【００７０】
図９Ｂは、本発明の第４の実施形態に係る通信機器３０ｂの構成の一例を示すブロック図である。なお、図９Ｂは、通信機器３０ｂがＧＳＭ変調方式に適用された場合の例を示している。図９Ｂを参照して、第４の実施形態に係る通信機器３０ｂは、上述した通信機器３０ａと比較して、アンテナ共用器３３の代わりに、アンテナスイッチ３５を備える点が異なる。送信回路３１からの送信信号は、アンテナスイッチ３５介してアンテナ３４から空間に放出される。受信信号は、アンテナ３４で受信され、アンテナスイッチ３５を介して受信回路３２で受信される。なお、通信機器３０ｂは、送信回路３１とアンテナ３４とのみを備えた構成であってもよい。
【００７１】
図９Ｃは、本発明の第４の実施形態に係る通信機器３０ｃの構成の一例を示すブロック図である。なお、図９Ｃは、通信機器３０ｃがＵＭＴＳ変調方式と、ＧＳＭ変調方式とを備えたマルチモード機に適用された場合の例を示している。図９Ｃを参照して、第４の実施形態に係る通信機器３０ｃは、上述した通信機器３０ａ、３０ｂと比較して、アンテナ共用器３３と、アンテナスイッチ３５との両方を備える点が異なる。なお、通信機器３０ｃは、送信回路３１とアンテナ３４とのみを備えた構成であってもよい。
【００７２】
このように、第４の実施形態に係る通信機器３０は、第１〜３の実施形態に係る電力増幅回路を用いることで、アンテナ負荷が変動した場合でも、送信回路３１の出力電力と電流との変動を抑制できる。
【産業上の利用可能性】
【００７３】
本発明に係る送信回路は、携帯電話や無線ＬＡＮ等の通信機器等に適用することができる。
【符号の説明】
【００７４】
１〜３  電力増幅回路
１１    電力増幅器（ＰＡ）
１２    レギュレータ
１３    電流モニタ
１４，１５  乗算器
１６  メモリ
１８〜２０  ＬＰＦ
２１    遅延回路
２２    加算器
１２１  利得制御部
１２２  乗算器
１２３  抵抗
１２４  抵抗可変回路
１２５  誤差増幅器
１２６  トランジスタ
３０    通信機器
３１    送信回路
３２    受信回路
３３    アンテナ共振器
３４    アンテナ
３５    アンテナスイッチ
５０    電力増幅回路
５１    電力増幅器
５１１〜５１３  増幅段
５１４  バイアス回路
５２    電圧制御回路
５２１  レギュレータ
５２２  電流検出回路
５２３  増幅器
５２４  遅延回路
５２５  係数算出部
５２６  平方根算出部
５２７  乗算器
【図１】
2011130352.tif 000003
【図２】
2011130352.tif 000004
【図３】
2011130352.tif 000005
【図４】
2011130352.tif 000006
【図５】
2011130352.tif 000007
【図６】
2011130352.tif 000008
【図７】
2011130352.tif 000009
【図８Ａ】
2011130352.tif 000010
【図８Ｂ】
2011130352.tif 000011
【図８Ｃ】
2011130352.tif 000012
【図８Ｄ】
2011130352.tif 000013
【図８Ｅ】
2011130352.tif 000014
【図８Ｆ】
2011130352.tif 000015
【図８Ｇ】
2011130352.tif 000016
【図８Ｈ】
2011130352.tif 000017
【図８Ｉ】
2011130352.tif 000018
【図９Ａ】
2011130352.tif 000019
【図９Ｂ】
2011130352.tif 000020
【図９Ｃ】
2011130352.tif 000021
【図１０】
2011130352.tif 000022
【図１１】
2011130352.tif 000023